(57)【要約】【課題】ハニカムが有する作用効果を持たせた保健・医療用粘着テープの要望。【解決手段】布製や軟性樹脂のフィルムから成り、図１とその部分拡大図で有る図２が示すように、幅が480mm の保健・医療用テープ本体１０がある。そして、保健・医療用粘着物質２０がある。この保健・医療用粘着物質２０は、上記の保健・医療用テープ本体１０の一面に設けられたものである（図３の側面部分拡大図を参照）。しかして、この保健・医療用粘着物質２０は、６列の正六角形平面ハニカム模様のネットを形成する形状部分に塗布されたのものである。【選択図】図２
2007236831.tif 000002
【特許請求の範囲】
【請求項１】
保健・医療用テープ本体、該保健・医療用テープ本体の一面に設けられたものであって正六角形平面ハニカム模様のネットを形成する形状部分に塗布された保健・医療用粘着物質、より構成されることを特徴とした正六角形平面ハニカム模様の保健・医療用粘着テープ。
【請求項２】
保健・医療用テープ本体、該保健・医療用テープ本体の一面に設けられたものであって正六角形平面ハニカム模様のネットを形成する形状部分以外の箇所に塗布された保健・医療用粘着物質、より構成されることを特徴とした正六角形平面ハニカム模様の保健・医療用粘着テープ。
【発明の詳細な説明】
【技術分野】
【０００１】
本発明は、広くは粘着テープに関するものであり、特に保健・医療用の粘着テープに関するものである。就中、そのテープに塗布されている粘着物質が正六角形のハニカム模様を成している保健・医療用テープに関するものである。
【背景技術】
【０００２】
身体を怪我したときに、医薬が用いられている治療用粘着テープを必要な箇所に貼付して治療に当たることが多い。そのテープは伸縮性のない布などから、伸縮性の有るものへと進化した。しかし、その治療用テープはいずれも、そのテープの全面に治療用医薬が一様に塗布されているに過ぎない。
【０００３】
しかして、立体のハニカム構造は力学的に非常に強度が強く、軽量で、且つスペースの節約を発揮するなどのメリットがある。それ故に、自然界のみつ蜂やすずめ蜂の巣ばかりでなく、人工的にはそれを応用して、陸海空を始めとして宇宙などの各種の構造物に応用されている。
【０００４】
みつ蜂の巣があのようなハニカム構造になっているのは、巣の材料（みつ蝋）が最小限の量で最大限の量の蜂密を入れることのできる部屋の構造となるからである。要するに、ハニカム構造は、材料の効率の点からも優れたものと言えるのである。
【０００５】
一方、平らな鍋に水を入れて鍋底を均等に加熱するときであって、非常な微弱な火力でそのお湯が微弱に沸き立ち始めるときに、そのお湯の対流に特殊なパターンが出る。そのパターンは、ハニカム構造のお湯の対流パターンであって、これは下記の非特許文献が言及しているペナール対流と言うものである。このようなハニカムパターンの対流は、ごく微弱なエネルギーでお湯沸きの対流が起きることを示したものである。
【０００６】
本願発明は、この少量の物質とか微弱エネルギーで効率の良いハニカムパターンを保健・医薬用粘着テープに応用したものである。
【非特許文献１】マーク・ブキャナン著  坂本芳久訳  複雑な世界、単純な法則（１４５頁）  草思社
【発明の開示】
【発明が解決しようとする課題】
【０００７】
しかして、本願発明が解決しようとする問題点は、従来の保健・医薬用粘着テープは、そのテープ本体面の全面にわたって均等にその保健・医療用粘着物質を塗布してある点である。これには、その効率性が何も図られていない。これでは、極端な表現をすると、「押さえ込み」と言う力ずくで、その保健・医療用粘着物質を身体に作用させていると言う感じになる。
【課題を解決するための手段】
【０００８】
本発明にかかる正六角形平面ハニカム模様の保健・医療用粘着テープは、以上の課題を解決するために、その保健・医療用粘着テープの保健・医療用粘着物質をハニカムパターンとした。
【０００９】
以下に、本発明にかかる正六角形平面ハニカム模様の保健・医療用粘着テープの具体的な構成を詳細に記載する。最初に、本発明の請求項１に記載した発明の構成を説明する。この発明は、まず、保健・医療用テープ本体がある。そして、保健・医療用粘着物質がある。この保健・医療用粘着物質は、上記の保健・医療用テープ本体の一面に設けられたものであって、正六角形平面ハニカム模様のネットを形成する形状部分に塗布されたのものである。
【００１０】
つぎに、本発明にかかる正六角形平面ハニカム模様の保健・医療用粘着テープの請求項２に記載した発明の構成を説明する。木の葉常意は、まず、保健・医療用テープ本体がある。そして、保健・医療用粘着物質がある。この保健・医療用粘着物質は、上記り保健・医療用テープ本体の一面に設けられたものであって、正六角形平面ハニカム模様のネットを形成する形状部分以外の箇所に塗布されたのものである。
【発明の効果】
【００１１】
本発明にかかる正六角形平面ハニカム模様の保健・医療用粘着テープは、以上のごとくになしたゆえに、上記の課題を解決して以下のごとき多大な効果が生じた。すなわち、元々、正六角形が生物やものの中に生かされていることが多い。そのために「正六角形」状に保健・医療用粘着テープの粘着面を抜くことによって、その保健・医療用粘着テープを皮膚に貼付することは、生物学上、無理のない状態だと言える。そして、その保健・医療用粘着テープを貼付することにより皮膚に無理がなくかぶれにくいものとなる。さらに、関節にストレスのない固定が可能になり、筋肉の機能回復や痛みを和らげるものとなった。その上に、リンパの働きもよくし、精神的安定感や安心感をもたらすものとなった。
【発明を実施するための最良の形態】
【００１２】
保健・医療用粘着テープは、一般の者は患部の適当な箇所に適当に貼付している。しかし、その貼付には正式には特殊な技術を要して、どの患部のどの箇所にどのように貼付するのかは大切なことである。それが、整骨に携わる柔道整復師の技術なのである。丁度、鍼灸師が、針灸をどの箇所にどのように施すのかのいわゆる「つぼ」といわれている経絡経穴を必要とすることと同様なことである。本願発明は、本願発明の発明者である二人の柔道整復師のそのような深い体験に基づいて生まれたものである。
【００１３】
以上にして、本願発明は、保健・医療用粘着テープを正六角形平面ハニカム模様にしたことにより、そこの皮膚の働きを改善し、それに伴い皮膚の内側の働きも改善されていくと言う利点がある。
【実施例１】
【００１４】
しかして、本発明にかかる正六角形平面ハニカム模様の保健・医療用粘着テープをその具体的な実施例を用いて添付の図面と共に詳細に述べる。この実施例は、まず、布製や軟性樹脂のフィルムから成り、図１とその部分拡大図で有る図２が示すように、幅が480mm の保健・医療用テープ本体１０がある。そして、保健・医療用粘着物質２０がある。この保健・医療用粘着物質２０は、上記の保健・医療用テープ本体１０の一面に設けられたものである（図３の側面部分拡大図を参照）。しかして、この保健・医療用粘着物質２０は、６列の正六角形平面ハニカム模様のネットを形成する形状部分に塗布されたのものである。かようにして、そのこの保健・医療用粘着物質２０の効用分が、ハニカム模様状になって、上記したように、そこの皮膚の働きを改善し、それに伴い皮膚の内側の働きも改善されていくものである。
【実施例２】
【００１５】
この実施例は、まず、基本的には上記の実施例１と同様である。その差異は、その保健・医療用粘着物質の塗布部分が逆転していることである。しかして、これはまず、図４とその部分拡大図で有る図５が示すように、幅が480mm の保健・医療用テープ本体１００がある。そして、保健・医療用粘着物質２００がある。この保健・医療用粘着物質２００は、上記の保健・医療用テープ本体１００の一面に設けられたものである（図６の側面部分拡大図を参照）。そして、この保健・医療用粘着物質２００は、平面ハニカム模様のネットを形成する形状部分「以外の箇所」に塗布されたのものである。
【００１６】
なお、上記のテープは、この明細書では「テープ」と言う名称を用いたが、これは必ずしも長尺なものに限定されるものではなく、短冊程度の長さのものも含まれるものであって、昔から言われている「膏薬」状のものなども含まれるものである。さらに、このテープは、伸縮自在のものであっても伸縮しないものであっても良いが、伸縮自在のものはその貼付箇所が激しく運動する箇所に向いている。更に、その伸縮性によって、マッサージ効果が出る。
【産業上の利用可能性】
【００１７】
保健・医療用粘着テープの新たな分野が広がる。
【図面の簡単な説明】
【００１８】
【図１】本発明にかかる正六角形平面ハニカム模様の保健・医療用粘着テープの一実施例の一部省略の平面図を示したものである。
【図２】図１のものの部分拡大平面図を示したものである。
【図３】図１のものの一部分の側面断面端面図を示したものである。
【図４】本発明にかかる正六角形平面ハニカム模様の保健・医療用粘着テープの別の実施例の一部省略の平面図を示したものである。
【図５】図４のものの部分拡大平面図を示したものである。
【図６】図４のものの一部分の側面断面端面図を示したものである。
【符号の説明】
【００１９】
１０  保健・医療用テープ本体
２０  保健・医療用粘着物質
100   保健・医療用テープ本体
200   保健・医療用粘着物質
【図１】
2007236831.tif 000003
【図２】
2007236831.tif 000004
【図３】
2007236831.tif 000005
【図４】
2007236831.tif 000006
【図５】
2007236831.tif 000007
【図６】
2007236831.tif 000008